(57)【要約】【課題】前軸と後軸との螺着が僅かに不完全な状態であっても、キャップを装着した際に、ペン先とペン先シール部材との十分な密接状態を維持でき、しかも、前軸と後軸との螺着がひどく不完全な状態であっても、キャップを装着した際に、螺着が不完全な状態であることをユーザーに認識させる。【解決手段】互いに螺着される前軸２と後軸３とからなる軸筒の内部にレフィル４を交換可能に収容する。レフィル４のペン先４１を前軸２の前端孔２５より外部に突出させる。レフィル４の後端を後軸３の内壁に当接させる。キャップ５内部にペン先シール部材５１を備える。後軸３の外面に、キャップ５内面の内向突起と乗り越え嵌合する外向突起を設ける。前軸２と後軸３の螺着が不完全な場合にキャップ５を装着した際、キャップ５内面の内向突起が後軸３外面の外向突起と乗り越え嵌合する前に、規制壁部５２が前軸２の外面と当接する。【選択図】  図１
2006123336.tif 000002
【特許請求の範囲】
【請求項１】
互いに螺着される前軸と後軸とからなる軸筒の内部にレフィルを交換可能に収容し、前記レフィルのペン先を前軸の前端孔より外部に突出させ、前記レフィルの後端を後軸の内壁に当接させてなる筆記具本体と、内部にペン先シール部材を備え且つ前記筆記具本体のペン先側に着脱可能なキャップとからなる筆記具であって、
前記後軸の外面に、キャップ内面の内向突起と乗り越え嵌合する外向突起を設けたことを特徴とする筆記具。
【請求項２】
前記前軸の後端開口部の外面に雄ネジ部を設け、前記後軸の前端開口部の内面に、前記雄ネジ部と螺着可能な雌ネジ部を設け、前記後軸の前端開口部の外面に外向突起を設けた請求項１記載の筆記具。
【請求項３】
前記ペン先シール部材の後方且つ内向突起の前方のキャップ内面に規制壁部を設け、前軸と後軸との螺着が不完全な状態の筆記具本体のペン先側にキャップを装着した際、キャップ内面の内向突起が後軸外面の外向突起と乗り越え嵌合する前に、前記規制壁部が前軸の外面と当接してなる請求項１または２記載の筆記具。
【発明の詳細な説明】
【技術分野】
【０００１】
本発明は、筆記具に関する。詳細には、内部にレフィルを交換可能に収容した前軸と後軸とからなる軸筒と、内部にペン先シール部材を備え且つ前記軸筒に着脱可能なキャップとからなる筆記具に関する。本発明で、「前」とは、軸筒においてペン先側を指し、キャップにおいて閉塞側を指し、「後」とは、軸筒において後軸の尾端側を指し、キャップにおいてペン先挿入用の開口側を指す。
【背景技術】
【０００２】
従来、この種の筆記具において、特許文献１には、前軸と後軸とからなる外装体にレフィルが収容され、後軸の底部にリブが形成され、該リブによって、レフィルの後端が長手方向位置を規制され、さらに、前軸の把持部より後方側に、キャップと乗り越え嵌合する嵌合突部を設けた構成が開示されている。
【０００３】
前記従来の筆記具は、前軸と後軸との取り付けが不完全の場合（例えば前軸と後軸との螺着が緩んだ状態の場合）、レフィルが軸筒内で前後方向にがたつくため、キャップを前軸の嵌合突部に乗り越え嵌合させると、ペン先とペン先シール部材とが十分に密接せず、ペン先の適正な密封がなしえないおそれがある。
【特許文献１】特開２００１−３２８３９２号
【発明の開示】
【発明が解決しようとする課題】
【０００４】
本発明は前記従来の問題点を解決するものであり、前軸と後軸との取付が僅かに不完全な状態であっても、キャップを装着した際に、ペン先とペン先シール部材との十分な密接状態を維持でき、しかも、前軸と後軸との取付がひどく不完全な状態であっても、キャップを装着した際に、取付が不完全な状態であることをユーザーに認識させることができる筆記具を提供しようとするものである。
【課題を解決するための手段】
【０００５】
本発明は、以下を要件とする。
【０００６】
（請求項１）
互いに螺着される前軸と後軸とからなる軸筒の内部にレフィルを交換可能に収容し、前記レフィルのペン先を前軸の前端孔より外部に突出させ、前記レフィルの後端を後軸の内壁に当接させてなる筆記具本体と、内部にペン先シール部材を備え且つ前記筆記具本体のペン先側に着脱可能なキャップとからなる筆記具であって、
前記後軸の外面に、キャップ内面の内向突起と乗り越え嵌合する外向突起を設けたことを特徴とする筆記具。
【０００７】
（請求項２）
前記前軸の後端開口部の外面に雄ネジ部を設け、前記後軸の前端開口部の内面に、前記雄ネジ部と螺合可能な雌ネジ部を設け、前記後軸の前端開口部の外面に外向突起を設けた請求項１記載の筆記具。
【０００８】
（請求項３）
前記ペン先シール部材の後方且つ内向突起の前方のキャップ内面に規制壁部を設け、前軸と後軸との螺着が不完全な状態の筆記具本体のペン先側にキャップを装着した際、キャップ内面の内向突起が後軸外面の外向突起と乗り越え嵌合する前に、前記規制壁部が前軸の外面と当接してなる請求項１または２記載の筆記具。
【発明の効果】
【０００９】
請求項１により、前軸と後軸との取付が僅かに不完全な状態であっても、キャップを装着した際に、ペン先とペン先シール部材との十分な密接状態を維持できる。
【００１０】
請求項２により、外向突起を後軸の前端部に配置することができ、適正な長手寸法を備えたキャップ、及び、適正な長手寸法を備えた前軸を得る。
【００１１】
請求項３により、前軸と後軸との取付がひどく不完全な状態であっても、キャップを装着した際に、取付が不完全な状態であることをユーザーに認識させることができる。
【発明を実施するための最良の形態】
【００１２】
本発明を実施するための最良の形態を説明する。
【００１３】
〔１〕本発明は、互いに螺着される前軸２と後軸３とからなる軸筒の内部にレフィル４を交換可能に収容し、前記レフィル４のペン先４１を前軸２の前端孔２５より外部に突出させ、前記レフィル４の後端を後軸３の内壁に当接させてなる筆記具本体と、内部にペン先シール部材５１を備え且つ前記筆記具本体のペン先４１側に着脱可能なキャップ５とからなる筆記具１であって、前記後軸３の外面に、キャップ５内面の内向突起５４と乗り越え嵌合する外向突起３２を設けたこと（請求項１）を要件とする。
【００１４】
前記筆記具１（請求項１）は、後軸３の外面に、キャップ５内面の内向突起５４と乗り越え嵌合する外向突起３２を設けたことにより、キャップ５をペン先４１側に装着し、後軸３外面の外向突起３２とキャップ５内面の内向突起５４を乗り越え嵌合した際、前軸２と後軸３との螺着が僅かに不完全な場合でも、ペン先シール部材５１とペン先４１との前後の位置関係が変化しないため、ペン先シール部材５１とペン先４１との十分な密接状態が得られる。その結果、ペン先シール部材５１によってペン先４１が適正に密封される。
【００１５】
〔２〕前記筆記具１（請求項１）において、前記前軸２の後端開口部の外面に雄ネジ部２３を設け、前記後軸３の前端開口部の内面に、前記雄ネジ部２３と螺合可能な雌ネジ部３１を設け、前記後軸３の前端開口部の外面に外向突起３２を設けたこと（請求項２）が好ましい。
【００１６】
前記筆記具１（請求項２）は、後軸３の内面に雌ネジ部３１を設けたことにより、外向突起３２を後軸３の前端部に配置することができる。その結果、適正な長手寸法を備えたキャップ５、及び、適正な長手寸法を備えた前軸２を得る。
【００１７】
もし、後軸３の外面に雄ネジ部２３を設ける場合、外向突起３２は、雄ネジ部２３の後方の後軸３外面に設けることになる。その場合、前軸２の長手寸法を維持すると、キャップ５の長手寸法が極端に長くなるおそれがあり、逆に、キャップ５の長手寸法を維持すると、前軸２の長手寸法が極端に短くなるおそれがある。
【００１８】
〔３〕前記筆記具１（請求項１または２）において、前記ペン先シール部材５１の後方且つ内向突起５４の前方のキャップ５内面に規制壁部５２を設け、前軸２と後軸３との螺着が不完全な状態の筆記具本体のペン先４１側にキャップ５を装着した際、キャップ５内面の内向突起５４が後軸３外面の外向突起３２と乗り越え嵌合する前に、前記規制壁部５２が前軸２の外面と当接してなること（請求項３）が好ましい。
【００１９】
前記筆記具１（請求項３）は、前軸２と後軸３の螺着がひどく不完全な状態の場合（前軸２と後軸３との螺着状態が大きく緩んだ場合）であっても、規制壁部５２と前軸２外面との当接によってキャップ５の装着が阻止され、通常のキャップ装着した際に得られる乗り越え嵌合時の手応えや嵌合音が得られないため、ユーザーに前軸２と後軸３の螺着が不完全であることを知らせることができる。その結果、ユーザーが前軸２と後軸３とを螺着し直すことにより、前軸２と後軸３との完全な螺着状態が得られ、ペン先シール部材５１とペン先４１との十分な密接状態が得られる。
【実施例】
【００２０】
図１乃至図７に本発明の実施例を示す。本実施例の筆記具１は、筆記具本体と、該筆記具本体のペン先４１側の外面に着脱自在に装着されるキャップ５とからなる。前記筆記具本体は、互いに螺着可能な前軸２と後軸３よりなる軸筒と、前記軸筒内部に交換可能に収容されるレフィル４とからなる。前記前軸２と前記後軸３とは螺着により着脱可能であるため、軸筒内に収容したレフィル４を外部に取り出して、交換することができる。
【００２１】
・前軸
前記前軸２は、合成樹脂（例えば、ポリプロピレン）の射出成形体により得られる円筒体である。前記前軸２の外面には、先細状の前端部２１と、該前端部２１の後方に連設される把持部２２と、該把持部２２の後方に連設される雄ネジ部２３とが形成される。前記先細状の前端部２１の前端には前端孔２５が開口され、前記前端孔２５から外部に、軸筒内部に収容したレフィル４のペン先４１が突出される。前記把持部２２後方且つ前記雄ネジ部２３前方の前軸２外面には、段部２４が形成される。また、前記把持部２２の外面には、滑り止め用の凹凸、または弾性材料（ゴムまたはエラストマー）よりなる外皮を設けてもよい。
【００２２】
前記前軸２の内面には、レフィル４の前端部に設けた係止壁部４２ａが当接し且つレフィル４の前方移動を阻止する当接壁部２６が一体に形成される。前記当接壁部２６は、軸方向に延びる複数の板状リブからなり、前記板状リブの相互間に軸方向の通気路が形成される。
【００２３】
・後軸
前記後軸３は、合成樹脂（例えば、ポリカーボネート）の射出成形により得られる有底円筒体である。前記後軸３の前端開口部の内面には、前記前軸２の雄ネジ部２３と螺合可能な雌ネジ部３１が形成される。前記後軸３の後端部内面には、軸方向に延びる複数本のリブよりなる支持壁部３３が一体に形成される。また、前記後軸３の前端開口部の外面（即ち、雌ネジ部３１の外面）には、外向突起３２が一体に形成される。前記外向突起３２は、環状突起、または複数個が周状に分散配置される点状突起からなる。
【００２４】
・レフィル
前記レフィル４は、ペン先４１と、該ペン先４１の後部が圧入保持されるペン先保持筒４２と、該ペン先保持筒４２の後部が前端開口部に圧入固着されるインキ収容筒４３と、該インキ収容筒４３の後端開口部に圧入固着される尾栓４４とからなる。前記インキ収容筒４３内部には、インキ（例えば、低粘度の水性インキまたは水性ゲルインキ）と、該インキの消費に伴って前進するグリス状の追従体が充填される。
【００２５】
・ペン先
前記ペン先４１は、ボールペンチップであり、例えば、金属製筒体（例えば、ステンレス鋼製パイプ）の前端近傍を内方へ押圧変形させることにより、ボール受け座を形成したボールペンチップ、または、金属材料（例えば、ステンレス鋼）を切削加工することによりボール受け座、ボール抱持孔、インキ流通孔等を形成したボールペンチップが挙げられる。
【００２６】
・ペン先保持筒
ペン先保持筒４２は、合成樹脂（例えば、ポリプロピレン）の射出成形により得られる筒状体である。前記ペン先保持筒４２は、ペン先４１を保持する先細状の前部と、インキ収容筒４３の前端開口部に圧入される後部と、該前部と該後部との間に形成され、インキ収容筒４３の前端面に当接する鍔部とが一体に連設されてなる。
【００２７】
前記ペン先保持筒４２の鍔部の前面は、レフィル４を軸筒内に収容した際、前軸２の内面の当接壁部２６と前後方向に係止する係止する係止壁部４２ａとなる。
【００２８】
・尾栓
前記尾栓４４は、合成樹脂（例えば、ポリプロピレン）の射出成形により得られる筒状体である。前記尾栓４４の軸心には、インキ収容筒４３内と外気とを連通させる通気孔が貫設される。前記尾栓４４の後端部の外周面は、後軸３の内面の支持壁部３３と当接され、レフィル４の前後方向の位置決めがなされる。
【００２９】
・キャップ
前記キャップ５は、合成樹脂（例えば、ポリカーボネート）の射出成形により得られる有底筒状体である。前記キャップ５の外面にクリップ５５が一体に形成される。前記キャップ５内には、弾性材料よりなるペン先シール部材５１が圧入により固定配置される。前記ペン先シール部材５１は、ペン先４１が当接した際に弾性変形し、ペン先４１を密封すものであり、前記ペン先シール部材５１の形状は、球状、板状、凹状等、いずれであってもよい。
【００３０】
前記ペン先シール部材５１の後方のキャップ５内面には、軸方向に延びるリブよりなる規制壁部５２が一体に形成される。前記規制壁部５２より後方のキャップ５内面には、前軸２の外面と摺接嵌合する嵌合突部５３が一体に形成される。さらに、前記嵌合突部５３より後方のキャップ５内面（即ちキャップ５の後端開口部内面）には、内向突起５４が一体に形成される。キャップ５を筆記具本体のペン先４１側に装着した際、前記キャップ５内面の内向突起５４が、後軸３外面の外向突起３２と乗り越え嵌合する。前記内向突起５４は、外向突起３２が複数個が周状に分散配置される点状突起の場合、環状突起であることが好ましい。逆に、外向突起３２が環状突起の場合、前記内向突起５４は、複数個が周状に分散配置される点状突起であることが好ましい。
【００３１】
次に本実施例の作用について説明する。
【００３２】
〔１〕完全な螺着状態（図１及び図２参照）
前軸２と後軸３とが完全な螺着状態にある場合、筆記具本体内に収容されるレフィル４は、前軸２内面の当接壁部２６と、後軸３内面の支持壁部３３とにより、前後方向のがたつきなく、軸筒内に保持される。
【００３３】
また、前軸２と後軸３とが完全な螺着状態にある筆記具本体のペン先４１側にキャップ５を装着すると、キャップ５内面の内向突起５４が、後軸３外面の外向突起３２と乗り越え嵌合する。このとき、キャップ５内のペン先シール部材５１とペン先４１とが適正に密接される。
【００３４】
〔２〕僅かに不完全な螺着状態（図３及び図４参照）
前軸２と後軸３とが僅かに不完全な螺着状態（即ち螺着が少し緩んだ状態）にある場合、レフィル４は軸筒内において前後方向の僅かのがたつきを有して収容される。また、このとき、後軸３の前端と前軸２外面の段部２４との間に前後方向の僅かの隙間Ｔが形成されている。
【００３５】
また、前軸２と後軸３とが僅かに不完全な螺着状態にある場合、キャップ５を筆記具本体のペン先４１側に装着すると、キャップ５内面の内向突起５４が、後軸３外面の外向突起３２と乗り越え嵌合する。このとき、完全な螺着状態（図１、図２）に比べて、ペン先４１との当接によるペン先シール部材５１の弾性変形量は減少するが、ペン先シール部材５１とペン先４１とが十分に密接される。尚、このとき、前記レフィル４は、ペン先４１とペン先シール部材５１との当接により、後方に押圧される。そして、前記レフィル４の後端は、後軸３内面の支持壁部３３により支持され、前軸２内面の当接壁部２６とレフィル４の保持筒の係止壁部４２ａとの間に前後方向の僅かの隙間Ｓが形成されている。
【００３６】
〔３〕ひどく不完全な螺着状態（図５、図６及び図７参照）
前軸２と後軸３とがひどく不完全な螺着状態（即ち螺着が大きく緩んだ状態）にある場合、レフィル４は軸筒内において前後方向の大きながたつきを有して収容される。また、このとき、後軸３の前端と前軸２外面の段部２４との間に前後方向の大きな隙間Ｔが形成されている。
【００３７】
また、前軸２と後軸３とがひどく不完全な螺着状態にある場合、キャップ５を筆記具本体のペン先４１側に装着すると、キャップ５内面の内向突起５４と後軸３外面の外向突起３２とが乗り越え嵌合する前に、キャップ５の内面の規制壁部５２が前軸２の先細状の前端部２１の外面に当接し、キャップ５の装着が阻止される。それにより、ユーザーが、前軸２と後軸３の螺着が不完全であることを認識できる。このとき、前記レフィル４は、ペン先４１とペン先シール部材５１との当接により、後方に押圧される。そして、前記レフィル４の後端は、後軸３内面の支持壁部３３により支持され、前軸２内面の当接壁部２６とレフィル４の保持筒の係止壁部４２ａとの間に前後方向の大きな隙間Ｓが形成されている。
【図面の簡単な説明】
【００３８】
【図１】本発明の実施例における前軸と後軸との完全な螺着状態を示す縦断面図である。
【図２】図１のＡ部拡大図である。
【図３】図１における前軸と後軸との小さなネジ緩み状態を示す縦断面図である。
【図４】図３のＢ部拡大図である。
【図５】図１における前軸と後軸との大きなネジ緩み状態を示す縦断面図である。
【図６】図５のＣ部拡大図である。
【図７】図５のＤ部拡大図である。
【符号の説明】
【００３９】
１  筆記具
２  前軸
２１  前端部
２２  把持部
２３  雄ネジ部
２４  段部
２５  前端孔
２６  当接壁部
３  後軸
３１  雌ネジ部
３２  外向突起
３３  支持壁部
４  レフィル
４１  ペン先
４２  ペン先保持筒
４２ａ  係止壁部
４３  インキ収容筒
４４  尾栓
５  キャップ
５１  ペン先シール部材
５２  規制壁部
５３  嵌合突部
５４  内向突起
５５  クリップ
Ｓ  隙間
Ｔ  隙間
【図１】
2006123336.tif 000003
【図２】
2006123336.tif 000004
【図３】
2006123336.tif 000005
【図４】
2006123336.tif 000006
【図５】
2006123336.tif 000007
【図６】
2006123336.tif 000008
【図７】
2006123336.tif 000009